(57)【要約】【課題】製造中に生じる半導体デバイスの欠陥、特にパターンのつぶれを、スループットを犠牲にすることなく低減するための方法とそのための処理溶液を提供すること。【解決手段】１種以上の界面活性剤を含む処理溶液を使用して、半導体デバイス製造時の欠陥数を低減する。この処理溶液は、特定の好ましい態様において、パターニングしたホトレジスト層の現像の際又はその後でリンス液として使用すると、パターンのつぶれのような現像後の欠陥を低減することができる。【選択図】なし【特許請求の範囲】
【請求項１】
半導体デバイスを製造する際の欠陥を低減するための方法であって、
基材を用意する工程、及び
当該基材を次の式（Ｉ）又は（ＩＩ）
【化１】
2006201809.tif 000020
（式中のＲ1とＲ4は炭素原子数３〜１０の直鎖又は枝分かれしたアルキル鎖であり、Ｒ2とＲ3はＨかあるいは炭素原子数１〜５のアルキル鎖であり、ｍ、ｎ、ｐ及びｑは０〜２０の範囲の数である）
を有する少なくとも１種の界面活性剤を約１０ｐｐｍ〜約１０，０００ｐｐｍ含む処理溶液と接触させる工程、
を含む、半導体デバイス製造の際の欠陥低減方法。
【請求項２】
前記処理溶液が約１０〜約１０，０００ｐｐｍの少なくとも１種の分散剤を更に含む、請求項１記載の方法。
【請求項３】
前記少なくとも１種の分散剤が非イオン性化合物を含む、請求項２記載の方法。
【請求項４】
前記少なくとも１種の分散剤がイオン性化合物を含む、請求項２記載の方法。
【請求項５】
前記少なくとも１種の分散剤が界面活性剤を含む、請求項４記載の方法。
【請求項６】
（ｎ＋ｍ）の値の範囲が０〜３０である、請求項１記載の方法。
【請求項７】
（ｎ＋ｍ）の値の範囲が１．３〜１５である、請求項６記載の方法。
【請求項８】
（ｐ＋ｑ）の値の範囲が０〜３０である、請求項１記載の方法。
【請求項９】
（ｐ＋ｑ）の値の範囲が１〜１０である、請求項８記載の方法。
【請求項１０】
接触角が３０秒で約６０°以下である、請求項１記載の方法。
【請求項１１】
接触角が３０秒で約５０°以下である、請求項１０記載の方法。
【請求項１２】
接触角が３０秒で約４０°以下である、請求項１１記載の方法。
【請求項１３】
前記接触工程が動的なリンスを含む、請求項１記載の方法。
【請求項１４】
前記処理溶液が、２３℃及び最大気泡圧力法による１気泡／秒において約４５ｄｙｎ／ｃｍの動的表面張力を示す、請求項１３記載の方法。
【請求項１５】
前記処理溶液が６０秒を超える時点において実質的のゼロの発泡を示す、請求項１３記載の方法。
【請求項１６】
半導体デバイスを製造する際の欠陥を低減するための方法であって、
基材を用意する工程、及び
当該基材を下式
【化２】
2006201809.tif 000021
（式中のＲ1とＲ4は炭素原子数３〜１０の直鎖又は枝分かれしたアルキル鎖であり、Ｒ2とＲ3はＨかあるいは炭素原子数１〜５のアルキル鎖であり、ｍ、ｎ、ｐ及びｑは０〜２０の範囲の数である）
を有する少なくとも１種の界面活性剤を約１０ｐｐｍ〜約１０，０００ｐｐｍ含む処理溶液と接触させる工程、
を含む、半導体デバイス製造の際の欠陥低減方法。
【請求項１７】
次の式（Ｉ）又は（ＩＩ）
【化３】
2006201809.tif 000022
（式中のＲ1とＲ4は炭素原子数３〜１０の直鎖又は枝分かれしたアルキル鎖であり、Ｒ2とＲ3はＨかあるいは炭素原子数１〜５のアルキル鎖であり、ｍ、ｎ、ｐ及びｑは０〜２０の範囲の数である）
を有する少なくとも１種の界面活性剤を約１０〜約１０，０００ｐｐｍ含む処理溶液。
【請求項１８】
約１０〜約１０，０００ｐｐｍの少なくとも１種の分散剤を更に含む、請求項１７記載の処理溶液。
【請求項１９】
前記少なくとも１種の分散剤が非イオン化合物を含む、請求項１８記載の処理溶液。
【請求項２０】
前記少なくとも１種の分散剤がイオン性化合物を含む、請求項１８記載の処理溶液。
【請求項２１】
（ｎ＋ｍ）の値の範囲が０〜３０である、請求項１７記載の処理溶液。
【請求項２２】
（ｎ＋ｍ）の値の範囲が１．３〜１５である、請求項２１記載の処理溶液。
【請求項２３】
（ｐ＋ｑ）の値の範囲が０〜３０である、請求項１７記載の処理溶液。
【請求項２４】
（ｐ＋ｑ）の値の範囲が１〜１０である、請求項２３記載の処理溶液。
【請求項２５】
光活性化合物を更に含む、請求項１７記載の処理溶液。
【請求項２６】
溶媒を更に含む、請求項１７記載の処理溶液。
【請求項２７】
ポリマーを更に含む、請求項１７記載の処理溶液。
【請求項２８】
塩基を更に含む、請求項１７記載の処理溶液。
【請求項２９】
酸を更に含む、請求項１７記載の処理溶液。
【請求項３０】
下式
【化４】
2006201809.tif 000023
（式中のＲ1とＲ4は炭素原子数３〜１０の直鎖又は枝分かれしたアルキル鎖であり、Ｒ2とＲ3はＨかあるいは炭素原子数１〜５のアルキル鎖であり、ｍ、ｎ、ｐ及びｑは０〜２０の範囲の数である）
を有する少なくとも１種の界面活性剤を約１０〜約１０，０００ｐｐｍ含む処理溶液。
【請求項３１】
半導体デバイス製造の際のパターンつぶれの欠陥数を低減するための方法であって、
ホトレジストコーティングを含む基材を用意する工程、
当該基材を放射線源に暴露してホトレジストコーティングにパターンを形成する工程、
当該基材に現像液を適用してパターン化したホトレジストコーティングを形成する工程、
随意に当該基材を脱イオン水でリンスする工程、及び
当該基材を、少なくとも１種の溶媒と、次の式（ＩＩＩ）、（ＩＶａ）、（ＩＶｂ）、（Ｖ）、（ＶＩ）、（ＶＩＩ）、又は（ＶＩＩＩ）
【化５】
2006201809.tif 000024
（式中のＲ1とＲ4はそれぞれ独立に、炭素原子数３〜１０の直鎖又は枝分かれしたアルキル基であり、Ｒ2とＲ3はそれぞれ独立に、水素原子かあるいは炭素原子数１〜５のアルキル基であり、Ｒ5は炭素原子数１〜１０の直鎖又は枝分かれしたアルキル基であり、Ｒ6は炭素原子数４〜１６の直鎖又は枝分かれしたアルキル基であり、Ｒ7、Ｒ8及びＲ9はそれぞれ独立に、炭素原子数１〜６の直鎖又は枝分かれしたアルキル基であり、Ｒ10は独立にＨ又は下式
【化６】
2006201809.tif 000025
で表される基であり、Ｒ11は炭素原子数４〜２２の直鎖、枝分かれ、又は環式のアルキル基であり、Ｗは水素原子又はアルキニル基であり、ＸとＹはそれぞれ独立に、水素原子又はヒドロキシル基であり、Ｚはハロゲン原子、ヒドロキシル基、酢酸基、又はカルボン酸基であり、ｍ、ｎ、ｐ及びｑはそれぞれ独立に０〜２０の範囲の数であり、ｒとｓはそれぞれ独立に２又は３であり、ｔは０〜２の範囲の数であり、ｊは１〜５の範囲の数であり、そしてｘは１〜６の範囲の数である）
を有する少なくとも１種の界面活性剤１０ｐｐｍ〜約１０，０００ｐｐｍとを含む処理溶液と接触させる工程、
を含む、半導体デバイス製造の際のパターンつぶれ欠陥数の低減方法。
【請求項３２】
前記接触工程が動的なリンスを含む、請求項３１記載の方法。
【請求項３３】
前記接触工程が静的なリンスを含む、請求項３１記載の方法。
【請求項３４】
前記接触工程において前記基材の表面が前記現像液に濡れる、請求項３１記載の方法。
【請求項３５】
前記接触工程において前記基材の表面が前記脱イオン水のリンス液に濡れる、請求項３１記載の方法。
【請求項３６】
前記溶媒が水性溶媒を含む、請求項３１記載の方法。
【請求項３７】
前記溶媒が非水性溶媒を含み、当該非水性溶媒が前記水性溶媒と混和性である、請求項３６記載の方法。
【請求項３８】
１０〜１０，０００ｐｐｍの前記少なくとも１種の界面活性剤を前記溶媒中へ注入することにより処理流を作る、請求項３１記載の方法。
【請求項３９】
１０〜１０，０００ｐｐｍの前記少なくとも１種の界面活性剤を前記基材の表面へ適用しそして前記溶媒を当該基材表面へ適用することにより処理流を作る、請求項３１記載の方法。
【請求項４０】
前記溶媒を前記少なくとも１種の界面活性剤を含むカートリッジを通過させることにより処理流を作る、請求項３１記載の方法。
【請求項４１】
前記接触工程の時間が１〜２００秒の範囲である、請求項３１記載の方法。
【請求項４２】
前記接触工程の時間が１〜１５０秒の範囲である、請求項４１記載の方法。
【請求項４３】
前記接触工程の時間が１〜４０秒の範囲である、請求項４１記載の方法。
【請求項４４】
前記接触工程の少なくとも一つの温度が１０〜１００℃の範囲である、請求項３１記載の方法。
【請求項４５】
複数の基材の表面の現像したパターンのつぶれを回避するための方法であって、
表面に現像したホトレジストパターンを含む第一の基材を用意する工程、
次の式（Ｉ）、（ＩＩ）、（ＩＩＩ）、（ＩＶａ）、（ＩＶｂ）、（Ｖ）、（ＶＩ）、（ＶＩＩ）、又は（ＶＩＩＩ）
【化７】
2006201809.tif 000026
【化８】
2006201809.tif 000027
（式中のＲ1とＲ4はそれぞれ独立に、炭素原子数３〜１０の直鎖又は枝分かれしたアルキル基であり、Ｒ2とＲ3はそれぞれ独立に、水素原子かあるいは炭素原子数１〜５のアルキル基であり、Ｒ5は炭素原子数１〜１０の直鎖又は枝分かれしたアルキル基であり、Ｒ6は炭素原子数４〜１６の直鎖又は枝分かれしたアルキル基であり、Ｒ7、Ｒ8及びＲ9はそれぞれ独立に、炭素原子数１〜６の直鎖又は枝分かれしたアルキル基であり、Ｒ10は独立にＨ原子又は下式
【化９】
2006201809.tif 000028
で表される基であり、Ｒ11は炭素原子数４〜２２の直鎖、枝分かれ、又は環式のアルキル基であり、Ｗは水素原子又はアルキニル基であり、ＸとＹはそれぞれ独立に、水素原子又はヒドロキシル基であり、Ｚはハロゲン原子、ヒドロキシル基、酢酸基、又はカルボン酸基であり、ｍ、ｎ、ｐ及びｑはそれぞれ独立に０〜２０の範囲の数であり、ｒとｓはそれぞれ独立に２又は３であり、ｔは０〜２の範囲の数であり、ｊは１〜５の範囲の数であり、そしてｘは１〜６の範囲の数である）
を有する少なくとも１種の界面活性剤を１０ｐｐｍ〜約１０，０００ｐｐｍ含む処理溶液を調製する工程、
第一の基材をこの処理溶液と接触させる工程、
当該処理溶液の表面張力と第一の基材上での接触角を測定する工程、
当該表面張力に当該接触角のコサインをかけ算して当該処理溶液の付着張力の値を得る工程、
おのおのが表面に現像したホトレジストパターンを含む複数の基材を用意する工程、そして
これらの複数の基材を、上記処理溶液の付着張力の値が３０以下である場合に、当該処理溶液と接触させる工程、
を含む方法。
【請求項４６】
前記調製工程、前記第一の基材の接触工程、前記測定工程、及び前記かけ算工程を、前記付着張力の値が３０以下になるまで繰り返す、請求項４５記載の方法。
【請求項４７】
２番目の前記接触工程において前記複数の基材の表面が脱イオン水のリンス液に濡れる、請求項４５記載の方法。
【請求項４８】
前記複数の基材の表面が現像液に濡れる、請求項４５記載の方法。
【請求項４９】
パターニングし現像した基材表面のパターンつぶれの欠陥を低減するためのリンス処理溶液であって、水性溶媒又は非水性溶媒からなる群から選ばれる少なくとも１種のキャリア媒体と、次の式（ＩＩＩ）、（ＩＶａ）、（ＩＶｂ）、（Ｖ）、（ＶＩ）、（ＶＩＩ）、又は（ＶＩＩＩ）
【化１０】
2006201809.tif 000029
（式中のＲ1とＲ4はそれぞれ独立に、炭素原子数３〜１０の直鎖又は枝分かれしたアルキル基であり、Ｒ2とＲ3はそれぞれ独立に、水素原子かあるいは炭素原子数１〜５のアルキル基であり、Ｒ5は炭素原子数１〜１０の直鎖又は枝分かれしたアルキル基であり、Ｒ6は炭素原子数４〜１６の直鎖又は枝分かれしたアルキル基であり、Ｒ7、Ｒ8及びＲ9はそれぞれ独立に、炭素原子数１〜６の直鎖又は枝分かれしたアルキル基であり、Ｒ10は水素原子又は下式
【化１１】
2006201809.tif 000030
で表される基であり、Ｒ11は炭素原子数４〜２２の直鎖、枝分かれ、又は環式のアルキル基であり、Ｗは水素原子又はアルキニル基であり、ＸとＹはそれぞれ独立に、水素原子又はヒドロキシル基であり、Ｚはハロゲン原子、ヒドロキシル基、酢酸基、又はカルボン酸基であり、ｍ及びｎはそれぞれ独立に０〜２０の範囲の数であり、ｒとｓはそれぞれ独立に２又は３であり、ｔは０〜２の範囲の数であり、ｊは１〜５の範囲の数であり、そしてｘは１〜６の範囲の数である）
を有する界面活性剤の群から選ばれる少なくとも１種の界面活性剤とを含むリンス処理溶液。
【請求項５０】
前記少なくとも１種のキャリア媒体が水性溶媒を含む、請求項４９記載の処理溶液。
【請求項５１】
前記少なくとも１種のキャリア媒体が非水性溶媒を含み、当該非水性溶媒が前記水性溶媒に混和性である、請求項５０記載の処理溶液。
【請求項５２】
前記少なくとも１種のキャリア媒体が水性溶媒であり、且つ、前記少なくとも１種の界面活性剤が下式（ＩＩＩ）
【化１２】
2006201809.tif 000031
（式中のＲ1は炭素原子数３〜１０の直鎖又は枝分かれしたアルキル基であり、Ｒ5は炭素原子数１〜１０の直鎖又は枝分かれしたアルキル基であり、Ｗは水素原子又はアルキニル基であり、ｔは０〜２の範囲の数である）
を有する界面活性剤である、請求項４９記載の処理溶液。
【請求項５３】
前記少なくとも１種のキャリア媒体が水性溶媒であり、且つ、前記少なくとも１種の界面活性剤が下式（ＩＶａ）
【化１３】
2006201809.tif 000032
（式中のＲ1とＲ4はそれぞれ独立に、炭素原子数３〜１０の直鎖又は枝分かれしたアルキル基であり、ｒとｓはそれぞれ独立に２又は３である）
を有する界面活性剤である、請求項４９記載の処理溶液。
【請求項５４】
前記少なくとも１種のキャリア媒体が水性溶媒であり、且つ、前記少なくとも１種の界面活性剤が下式（ＩＶｂ）
【化１４】
2006201809.tif 000033
（式中のＲ1とＲ4はそれぞれ独立に、炭素原子数３〜１０の直鎖又は枝分かれしたアルキル基であり、ｒは２又は３である）
を有する界面活性剤である、請求項４９記載の処理溶液。
【請求項５５】
前記少なくとも１種のキャリア媒体が水性溶媒であり、且つ、前記少なくとも１種の界面活性剤が下式（Ｖ）
【化１５】
2006201809.tif 000034
（式中のＲ1とＲ4はそれぞれ独立に、炭素原子数３〜１０の直鎖又は枝分かれしたアルキル基であり、ＸとＹはそれぞれ独立に、水素原子又はヒドロキシル基である）
を有する界面活性剤である、請求項４９記載の処理溶液。
【請求項５６】
前記少なくとも１種のキャリア媒体が水性溶媒であり、且つ、前記少なくとも１種の界面活性剤が下式（ＶＩ）
【化１６】
2006201809.tif 000035
（式中のＲ6は炭素原子数４〜１６の直鎖又は枝分かれしたアルキル基であり、Ｒ7、Ｒ8及びＲ9はそれぞれ独立に、炭素原子数１〜６の直鎖又は枝分かれしたアルキル基であり、Ｚはハロゲン原子、ヒドロキシル基、酢酸基、又はカルボン酸基である）
を有する界面活性剤である、請求項４９記載の処理溶液。
【請求項５７】
前記少なくとも１種のキャリア媒体が水性溶媒であり、且つ、前記少なくとも１種の界面活性剤が下式（ＶＩＩ）
【化１７】
2006201809.tif 000036
（式中のＲ1とＲ4はそれぞれ独立に、炭素原子数３〜１０の直鎖又は枝分かれしたアルキル基であり、Ｒ2とＲ3はそれぞれ独立に、水素原子かあるいは炭素原子数１〜５のアルキル基であり、ｍとｎはそれぞれ独立に０〜２０の範囲の数であり、ｊは１〜５の範囲の数である）
を有する界面活性剤である、請求項４９記載の処理溶液。
【請求項５８】
前記少なくとも１種のキャリア媒体が水性溶媒であり、且つ、前記少なくとも１種の界面活性剤が下式（ＶＩＩＩ）
【化１８】
2006201809.tif 000037
（式中のＲ10は水素原子又は下式
【化１９】
2006201809.tif 000038
で表される基であり、Ｒ11は炭素原子数４〜２２の直鎖、枝分かれ、又は環式のアルキル基であり、ｒとｓはそれぞれ独立に２又は３であり、ｘは１〜６の範囲の数である）
を有する界面活性剤である、請求項４９記載の処理溶液。
【発明の詳細な説明】
【技術分野】
【０００１】
本発明は、一般的に言えば半導体デバイスの製造方法に関する。より詳しく言うと、本発明は、製造中に受ける半導体デバイスの欠陥、特にパターンのつぶれを、スループットを犠牲にすることなく低減するための方法に関する。
【背景技術】
【０００２】
欠陥は、特にデバイスの大きさが低下し且つウエハサイズが３００ｍｍまで大きくなると、生産収率とデバイスの機能とにとって主要な制限的因子となる。ここで使用する「欠陥」という用語は、半導体デバイスの収率を低下させかねず、あるいは損失の原因となりかねない欠陥、例えば基板（基材）表面上のホトレジストパターンのつぶれ、リソグラフィー、エッチング、剥離（ストリッピング）及び化学機械的平坦化（ＣＭＰ）の残留物などのようなプロセス処理の結果として基板上に持ち込まれる粒子状物質、製造プロセス処理に特有であるかあるいはその結果として生じる粒子状物質、閉じられた又は部分的に開放のあるいは閉塞されたコンタクト又はビアなどのようなパターンの不完全部分、ライン幅の変動、そして基板表面へのレジストの不十分な密着の結果生じる欠陥、等の欠陥に関係する。
【０００３】
欠陥を減らし、それにより収率を向上させようとする原動力は、半導体デバイスの生産における製造工程、すなわちリソグラフィー、エッチング、剥離、及び化学機械的平坦化（ＣＭＰ）プロセスに対して新たな難題を提起する。リソグラフィープロセスは一般に、基板（基材）にポジ型又はネガ型ホトレジストを塗布し、基板を放射線源に暴露してパターン像を作り、基板を現像して基板上にパターン化したホトレジストを形成するものである。このパターン化した層はその後の基板パターニングプロセスの、例えばエッチング、ドーピング、及び／又は金属、他の半導体材料もしくは絶縁材料でのコーティングなどの、マスクとして働く。エッチングプロセスは一般に、パターニングしたホトレジストにより保護されていない基板の表面を化学エッチング又はプラズマエッチングを使用して除去し、それにより下にある表面を更なる処理のために露出させるものである。剥離プロセスは一般に、架橋したホトレジストパターンを湿式の剥離又は酸素プラズマアッシングにより基板から除去するものである。ＣＭＰプロセスは一般に、基板の表面を研磨して処理中の平坦さを維持するものである。上述のプロセスの全ては、通常、これらのプロセスから発生する、あるいはその副生物である、何らかの粒子状物質を除去するためにリンス工程を使用する。
【０００４】
パターンのつぶれは、新世代のデバイスにおけるより大きなアスペクト比のために、半導体デバイスの生産において新たに生じた問題となっている。パターニングしたホトレジスト層の厚さとアスペクト比は、リソグラフィー後のその後のエッチング工程にとって重要なパラメーターである。１３０ｎｍのノードでは、厚さ５００ｎｍのホトレジスト層のアスペクト比は４の値に達することがある。この値は、現像液及び／又はリンス液の毛管力がパターニングしたホトレジストパターンのつぶれを招来しかねない程度となりかねない。毛管力のほかにも、パターンのつぶれの問題はその他の要因、例えばレジストの機械的強さ、その他のコーティング、すなわち反射防止コーティング（ＡＲＣ）の塗布、そしてホトレジスト層のスピンオン塗布の際のノズルのタイプ、位置及び遠心力、などの影響を更に受けることがある。
【０００５】
パターンのつぶれに関与する主要なものは、現像後の乾燥工程の際の水の毛管力であり、これについてはＴａｎａｋａ，  Ｔ．，  ｅｔ  ａｌ．，  “Ｍｅｃｈａｎｉｓｍ  ｏｆ  Ｒｅｓｉｓｔ  Ｐａｔｔｅｒｎ  Ｃｏｌｌａｐｓｅｄ  Ｄｕｒｉｎｇ  Ｄｅｖｅｌｏｐｅｒ  Ｐｒｏｃｅｓｓ”，  Ｊｐｎ．  Ｊ．  Ａｐｐｌ．  Ｐｈｙｓ．，  Ｖｏｌ．  ３２，  １９９３，  ｐｐ．６０５９−６４を参照されたい。パターニングしたホトレジスト層に影響を及ぼす毛管力を減らすのには、パターン現像後のリンス液の表面張力を低下させるかなくすのを利用することができる。リンス液の表面張力を低下させるかなくすための二つの普通のアプローチは、パターニングしたホトレジストの表面形状を凍結乾燥すること又はパターニングしたホトレジストを現像後に超臨界流体を使って乾燥させることであろう。これらのアプローチの両方とも、半導体デバイスの製作では普通使用されることのない余分な製造工程と特別な機器を必要としよう。
【０００６】
表面張力を低下させるためのもっと普通のアプローチは、リンス液に界面活性剤を添加することであろう。空気と液との界面における水の表面張力を低下させることができることは、低下した表面張力が一般に基板表面の水の濡れを増大させることに関連するので、様々な用途において非常に重要である。水を基にした系における表面張力の低下は、一般には界面活性剤の添加によりなされる。平衡の表面張力は系が静止している場合に重要ではあるが、動的条件下で表面張力を低下させる能力は、高い表面構造製作速度（ｓｕｒｆａｃｅ  ｃｒｅａｔｉｏｎ  ｒａｔｅ）が使用される用途、すなわちスピンコーティング、ローリング、スプレーコーティングなどにおいて、非常に重要である。動的表面張力は、溶液が高速の塗布条件下で表面張力を低下させそして濡れをもたらす能力の尺度を提供する。更に、スプレー塗布する際などのような一定の塗布においては、界面活性剤が配合物の表面張力を、気泡の発生と発泡の問題を最小限にするようにして低下させることが有利である。発泡や気泡の発生は欠陥を招きかねない。従って、発泡の問題を解決することに向けて半導体産業において相当の努力が払われてきた。
【０００７】
特開平７−１４２３４９号公報には、フッ素系の界面活性剤、例えばパーフルオロアルキルスルホン酸アンモニウム又はパーフルオロアルキルエトキシレートなどを、現像液又はリンス液に添加することが記載されている。
【０００８】
米国特許第６１５２１４８号明細書には、ＣＭＰ後のポリ（アリーレンエーテル）絶縁膜コーティングを有する半導体ウエハをクリーニングするのに用いられる水溶液に、例えばフルオロ界面活性剤やテトラアルキル第四アンモニウムヒドロキシド化合物などの界面活性剤を添加することが記載されている。
【０００９】
Ｄｏｍｋｅ，  Ｗ．Ｄ．らの論文、“Ｐａｔｔｅｒｎ  Ｃｏｌｌａｐｓｅ  ｉｎ  Ｈｉｇｈ  Ａｓｐｅｃｔ  Ｒａｔｉｏ  ＤＵＶ−  ａｎｄ  １９３ｎｍ  Ｒｅｓｉｓｔｓ”，
Ｐｒｏｃ．  ＳＰＩＥ−Ｉｎｔ．  Ｓｏｃ．  Ｏｐｔ．  Ｅｎｇ．  ３９９９，  ３１３−３２１，  ２０００には、現像液に界面活性剤を添加して、無水アクリル酸レジスト及びシクロオレフィン−無水マレイン酸レジストのパターンのつぶれの可能性を低下させることが記載されている。現像液に添加される「界面活性剤」は溶媒、イソプロピルアルコールであった。Ｄｏｍｋｅらの論文によれば、現像液に「界面活性剤」を添加するのはパターンのつぶれに一貫性のある効果を及ぼさなかった。
【００１０】
国際公開第０２／２３５９８号パンフレットには、界面活性剤のラウリル硫酸アンモニウムを脱イオン（ＤＩ）水のリンス液と現像液に添加しそれらをパターニングしたホトレジストに適用して、現像後の欠陥をなくすことが記載されている。
【００１１】
特開平８−８１６３号公報には、現像後のリンス液に温水、有機溶媒、及び界面活性剤を添加してパターンのつぶれを防止することが記載されている。
【００１２】
国際公開第８７／０３３８７号パンフレットには、エッチングの際及びその他のプロセスの際に発生する熱によるひずみ又は劣化に対して、像の現像後ベークの前に基板に熱安定化用の保護フィルムを適用することにより、ホトレジスト像を保護することが記載されている。フィルムのために用いられる材料には、フルオロカーボン界面活性剤、フィルム形成用ポリマー、硫酸クロム、トリクロロ酢酸、クロモトロープ酸、及びそれらの塩類が含まれる。
【００１３】
Ｃｈｅｕｎｇ，  Ｃ．らの論文、“Ａ  Ｓｔｕｄｙ  ｏｆ  ａ  Ｓｉｎｇｌｅ  Ｃｌｏｓｅｄ  Ｃｏｎｔａｃｔ  ｆｏｒ  ０．１８  ｍｉｃｒｏｎ  Ｐｈｏｔｏｌｉｔｈｏｇｒａｐｈｙ  Ｐｒｏｃｅｓｓ”，  Ｐｒｏｃ．  ＳＰＩＥ−Ｉｎｔ．  Ｓｏｃ．  Ｏｐｔ．
Ｅｎｇ．  ３９９８，  ７３８−７４１，  ２０００には、ホトレジスト残留物及び単一閉鎖コンタクトの欠陥をなくすのにリンス液中でオクチル及びノニルフェノールエトキシレートなどのような、例えばＴＲＩＴＯＮ（商標）  Ｘ−１１４、Ｘ−１０２、ｘ−４５、及びＸ−１５等の界面活性剤を使用することが開示されている。Ｃｈｅｕｎｇらによれば、リンス液において界面活性剤を用いることはあまり多くの成功をもたらさなかった。
【００１４】
米国特許第５９７７０４１号明細書には、水、水溶性の有機酸、及び水溶性の界面活性剤を含む水性の剥離後リンス液が記載されている。界面活性剤には、アセチレン列アルコール基を少なくとも一つ有するオリゴ（酸化エチレン）化合物が含まれる。
【００１５】
国際公開第００／０３３０６号パンフレットには、溶媒と界面活性剤との混合物を含む剥離剤組成物であって、溶媒の量が全組成物の約５０〜約９９．９質量％の範囲、界面活性剤の量が全組成物の約０．１〜約３０質量％の範囲である剥離剤組成物が記載されている。
【００１６】
米国特許出願第２００２／０１１５０２２号明細書には、パーフルオロアルキルスルホン酸アンモニウム又はパーフルオロアルキルカルボン酸アンモニウムなどのアニオン界面活性剤をおのおのが含有している、現像液とリンス液が記載されている。これらの溶液は、パターンのつぶれを減らすために連続式に適用される。
【００１７】
Ｈｉｅｎらの論文、“Ｃｏｌｌａｐｓｅ  Ｂｅｈａｖｉｏｒ  ｏｆ  Ｓｉｎｇｌｅ  Ｌａｙｅｒ  １９３  ａｎｄ  １５７  ｎｍ  Ｒｅｓｉｓｔｓ：  Ｕｓｅ  ｏｆ  Ｓｕｒｆａｃｔａｎｔｓ  ｉｎ  ｔｈｅ  Ｒｉｎｓｅ  ｔｏ  Ｒｅａｌｉｚｅ  ｔｈｅ  Ｓｕｂ  １３０  ｎｍ  Ｎｏｄｅｓ”，  Ａｄｖａｎｃｅ  ｉｎ  Ｒｅｓｉｓｔ  Ｔｅｃｈ．  Ａｎｄ  Ｐｒｏｃｅｓｓｉｎｇ  ＸＩＸ，  Ｐｒｏｃｅｅｄｉｎｇｓ  ｏｆ  ＳＰＩＥ，  Ｖｏｌ．  ４６９０（２００２），  ｐｐ．２５４−２６１には、現像後の基板に１０％のフルオロ界面活性剤と水とのリンス液を適用してパターンのつぶれを減らすことが記載されている。Ｈｉｅｎらによれば、使用したフルオロ界面活性剤の一部はつぶれの挙動を悪化させた。
【００１８】
界面活性剤は現像後リンス液として広く使用されているとはいえ、これらの溶液は動的条件下で表面張力を低下させるのには有効でなかろう。更に、これの溶液には発泡の発生という不所望の副作用のあることがある。これらの問題のために、当該技術において使用される一般的な界面活性剤を使用するリンス液は、半導体デバイスにおける欠陥の全て、特にパターンのつぶれの欠陥を、軽減するのに有効ではなかろう。
【００１９】
ここで言及した全ての参考文献は、参照によりそれらの全体がここに組み入れられる。
【００２０】
【特許文献１】特開平７−１４２３４９号公報
【特許文献２】米国特許第６１５２１４８号明細書
【特許文献３】国際公開第０２／２３５９８号パンフレット
【特許文献４】特開平８−８１６３号公報
【特許文献５】国際公開第８７／０３３８７号パンフレット
【特許文献６】米国特許第５９７７０４１号明細書
【特許文献７】国際公開第００／０３３０６号パンフレット
【特許文献８】米国特許出願第２００２／０１１５０２２号明細書
【００２１】
【非特許文献１】Ｔａｎａｋａ，  Ｔ．，  ｅｔ  ａｌ．，  “Ｍｅｃｈａｎｉｓｍ  ｏｆ  Ｒｅｓｉｓｔ  Ｐａｔｔｅｒｎ  Ｃｏｌｌａｐｓｅｄ  Ｄｕｒｉｎｇ  Ｄｅｖｅｌｏｐｅｒ  Ｐｒｏｃｅｓｓ”，  Ｊｐｎ．  Ｊ．  Ａｐｐｌ．  Ｐｈｙｓ．，  Ｖｏｌ．  ３２，  １９９３，  ｐｐ．６０５９−６４
【非特許文献２】Ｄｏｍｋｅ，  Ｗ．Ｄ．  ｅｔ  ａｌ．，  “Ｐａｔｔｅｒｎ  Ｃｏｌｌａｐｓｅ  ｉｎ  Ｈｉｇｈ  Ａｓｐｅｃｔ  Ｒａｔｉｏ  ＤＵＶ−  ａｎｄ  １９３ｎｍ  Ｒｅｓｉｓｔｓ”，  Ｐｒｏｃ．  ＳＰＩＥ−Ｉｎｔ．  Ｓｏｃ．  Ｏｐｔ．  Ｅｎｇ．  ３９９９，  ３１３−３２１，  ２０００
【非特許文献３】Ｃｈｅｕｎｇ，  Ｃ．  ｅｔ  ａｌ．，  “Ａ  Ｓｔｕｄｙ  ｏｆ  ａ  Ｓｉｎｇｌｅ  Ｃｌｏｓｅｄ  Ｃｏｎｔａｃｔ  ｆｏｒ  ０．１８  ｍｉｃｒｏｎ  Ｐｈｏｔｏｌｉｔｈｏｇｒａｐｈｙ  Ｐｒｏｃｅｓｓ”，  Ｐｒｏｃ．  ＳＰＩＥ−Ｉｎｔ．  Ｓｏｃ．  Ｏｐｔ．  Ｅｎｇ．  ３９９８，  ７３８−７４１，  ２０００
【非特許文献４】Ｈｉｅｎ  ｅｔ  ａｌ．，  “Ｃｏｌｌａｐｓｅ  Ｂｅｈａｖｉｏｒ  ｏｆ  Ｓｉｎｇｌｅ  Ｌａｙｅｒ  １９３  ａｎｄ  １５７  ｎｍ  Ｒｅｓｉｓｔｓ：  Ｕｓｅ  ｏｆ  Ｓｕｒｆａｃｔａｎｔｓ  ｉｎ  ｔｈｅ  Ｒｉｎｓｅ  ｔｏ  Ｒｅａｌｉｚｅ  ｔｈｅ  Ｓｕｂ  １３０  ｎｍ  Ｎｏｄｅｓ”，  Ａｄｖａｎｃｅ  ｉｎ  Ｒｅｓｉｓｔ  Ｔｅｃｈ．  Ａｎｄ  Ｐｒｏｃｅｓｓｉｎｇ  ＸＩＸ，  Ｐｒｏｃｅｅｄｉｎｇｓ  ｏｆ  ＳＰＩＥ，  Ｖｏｌ．  ４６９０（２００２），  ｐｐ．２５４−２６１
【発明の開示】
【発明が解決しようとする課題】
【００２２】
本発明の目的は、上述の問題を解決することである。
【課題を解決するための手段】
【００２３】
本発明は、処理溶液とそれを使用する方法を提供することにより、当該技術の必要性の、全てではないとしても、一部を満足するものである。具体的に言えば、本発明の一つの側面において、半導体デバイスの製造時の欠陥を減らすための方法が提供される。この方法は、基材を用意する工程と、この基材を次の式（Ｉ）又は（ＩＩ）
【００２４】
【化１】
2006201809.tif 000002
【００２５】
（式中のＲ1とＲ4は炭素原子数３〜１０の直鎖又は枝分かれしたアルキル鎖であり、Ｒ2とＲ3はＨかあるいは炭素原子数１〜５のアルキル鎖であり、ｍ、ｎ、ｐ及びｑは０〜２０の範囲の数である）
を有する少なくとも１種の界面活性剤を約１０ｐｐｍ〜約１０，０００ｐｐｍ含む処理溶液と接触させる工程を含む。特定の好ましい態様では、処理溶液は分散剤を更に含む。
【００２６】
本発明の更に別の態様では、半導体デバイスの製造時の欠陥を減らすための方法が提供される。この方法は、基材を用意する工程と、この基材を下式
【００２７】
【化２】
2006201809.tif 000003
【００２８】
（式中のＲ1とＲ4は炭素原子数３〜１０の直鎖又は枝分かれしたアルキル鎖であり、Ｒ2とＲ3はＨかあるいは炭素原子数１〜５のアルキル鎖であり、ｍ、ｎ、ｐ及びｑは０〜２０の範囲の数である）
を有する少なくとも１種の界面活性剤を約１０ｐｐｍ〜約１０，０００ｐｐｍ含む処理溶液と接触させる工程を含む。特定の好ましい態様では、界面活性剤の（ｐ＋ｑ）の値は１〜１０の範囲にある。
【００２９】
本発明のなおもう一つの態様では、次の式（Ｉ）又は（ＩＩ）
【００３０】
【化３】
2006201809.tif 000004
【００３１】
（式中のＲ1とＲ4は炭素原子数３〜１０の直鎖又は枝分かれしたアルキル鎖であり、Ｒ2とＲ3はＨかあるいは炭素原子数１〜５のアルキル鎖であり、ｍ、ｎ、ｐ及びｑは０〜２０の範囲の数である）
を有する少なくとも１種の界面活性剤を約１０〜約１０，０００ｐｐｍ有する処理溶液が提供される。
【００３２】
本発明のなお更に別の態様では、下式
【００３３】
【化４】
2006201809.tif 000005
【００３４】
（式中のＲ1とＲ4は炭素原子数３〜１０の直鎖又は枝分かれしたアルキル鎖であり、Ｒ2とＲ3はＨかあるいは炭素原子数１〜５のアルキル鎖であり、ｍ、ｎ、ｐ及びｑは０〜２０の範囲の数である）
を有する界面活性剤を約１０〜約１０，０００ｐｐｍ含む処理溶液が提供される。
【００３５】
本発明のなお更に別の側面では、半導体デバイス製造の際のパターンつぶれの欠陥の数を減らすための方法であって、ホトレジストコーティングを含む基材を用意する工程、この基材を放射線源に暴露してホトレジストコーティングにパターンを形成する工程、基材に現像液を適用してパターニングしたホトレジストコーティングを形成する工程、随意に基材を脱イオン水でリンスする工程、そして基材を、溶媒と次の式（ＩＩＩ）、（ＩＶａ）、（ＩＶｂ）、（Ｖ）、（ＶＩ）、（ＶＩＩ）、又は（ＶＩＩＩ）
【００３６】
【化５】
2006201809.tif 000006
【００３７】
を有する少なくとも１種の界面活性剤１０ｐｐｍ〜約１０，０００ｐｐｍとを含む処理溶液と接触させる工程を含む方法が提供され、式中のＲ1とＲ4はそれぞれ独立に、炭素原子数３〜１０の直鎖又は枝分かれしたアルキル基であり、Ｒ2とＲ3はそれぞれ独立に、水素原子かあるいは炭素原子数１〜５のアルキル基であり、Ｒ5は炭素原子数１〜１０の直鎖又は枝分かれしたアルキル基であり、Ｒ6は炭素原子数４〜１６の直鎖又は枝分かれしたアルキル基であり、Ｒ7、Ｒ8及びＲ9はそれぞれ独立に、炭素原子数１〜６の直鎖又は枝分かれしたアルキル基であり、Ｒ10は独立にＨ又は下式
【００３８】
【化６】
2006201809.tif 000007
【００３９】
で表される基であり、Ｒ11は炭素原子数４〜２２の直鎖、枝分かれ、又は環式のアルキル基であり、Ｗは水素原子又はアルキニル基であり、ＸとＹはそれぞれ独立に、水素原子又はヒドロキシル基であり、Ｚはハロゲン原子、ヒドロキシル基、酢酸基、又はカルボン酸基であり、ｍ、ｎ、ｐ及びｑはそれぞれ独立に０〜２０の範囲の数であり、ｒとｓはそれぞれ独立に２又は３であり、ｔは０〜２の範囲の数であり、ｊは１〜５の数であり、そしてｘは１〜６の範囲の数である。
【００４０】
本発明のなお別の側面では、複数の基材の表面の現像したパターンのつぶれを回避するための方法であって、表面に現像したホトレジストパターンを含む第一の基材を用意する工程、ここに記載される式（Ｉ）、（ＩＩ）、（ＩＩＩ）、（ＩＶａ）、（ＩＶｂ）、（Ｖ）、（ＶＩ）、（ＶＩＩ）、又は（ＶＩＩＩ）を有する少なくとも１種の界面活性剤を１０ｐｐｍ〜約１０，０００ｐｐｍ含む処理溶液を調製する工程、第一の基材をこの処理溶液と接触させる工程、処理溶液の表面張力と第一の基材上での接触角を測定する工程、その表面張力にその接触角のコサインを乗じて処理溶液の付着張力の値を得る工程、おのおのが表面に現像したホトレジストパターンを含む複数の基材を用意する工程、そしてこれらの複数の基材を、上記処理溶液の付着張力の値が３０以下である場合に、当該処理溶液と接触させる工程を含む方法が提供される。
【００４１】
本発明のなお別の側面では、パターニングし現像した基材表面のパターンつぶれの欠陥を減らすためのリンス処理溶液であって、水性溶媒又は非水性溶媒からなる群から選ばれる少なくとも１種のキャリア媒体と、ここに記載される式（ＩＩＩ）、（ＩＶａ）、（ＩＶｂ）、（Ｖ）、（ＶＩ）、（ＶＩＩ）、又は（ＶＩＩＩ）を有する界面活性剤の群から選ばれる少なくとも１種の界面活性剤とを含むリンス処理溶液が提供される。
【００４２】
本発明のこれら及びこのほかの側面は以下の詳しい説明から明らかとなろう。
【発明を実施するための最良の形態】
【００４３】
本発明は、半導体デバイスの製造中に被る欠陥の数を減らすのに使用される処理溶液と、それを使用する方法に関するものである。この処理溶液中に少量存在する界面活性剤は、分散することにより欠陥をもたらしかねない粒子状物質を除去するのを助ける。特定の好ましい態様では、本発明の処理溶液は、パターニングしたホトレジスト層の表面の溶液の濡れを向上させることにより現像後の欠陥を減らすことができる。処理溶液の向上した濡れは、コンタクトホール内又は高密度の表面パターン中に残った残留物を除去することができる。本発明の処理溶液は、現像後のリンス液として使用される場合には、パターニングしたラインに影響を及ぼしてパターンつぶれの欠陥に関与する毛管力を低減することもできる。更に、この処理溶液は、動的なリンスの状況においてより効果的に作用して、当該技術分野で従前から使用される他の界面活性剤と比べて発生する発泡を相対的に少なくする。
【００４４】
本発明の処理溶液は、半導体デバイスの製造に関連する様々なプロセスにおいて、例えばリソグラフィーの処理溶液、すなわちリンス液、レジスト除去剤、エッジビード除去剤及び反射防止コーティング（ＡＲＣ）の溶液として、エッチング後の処理溶液、すなわち側壁膜、剥離剤、剥離／アッシング処理後のリンス溶液として、ウエハクリーニングの処理溶液、すなわちＲＣＡ又は他の標準的クリーニング溶液及び超臨界ＣＯ2クリーニング溶液への添加剤として、そして航空宇宙用途向けのクリティカルクリーニング又は精密クリーニング用処理溶液として、使用することができる。特定の好ましい態様においては、本発明の処理溶液をリソグラフィーリンス液として使用してもよい。本発明の処理溶液中の界面活性剤は、発泡を最小限にしながら、平衡及び動的な表面張力の低減を可能にすることができる。
【００４５】
本発明の処理溶液は、キャリア相又は媒体として、水性溶媒及び／又は非水性溶媒を有することができる。ここで使用する「水性」という用語は、少なくとも８０質量％、好ましくは９０質量％、より好ましくは少なくとも９５質量％の水を含む、溶媒又は液体分散媒体を表すものである。好ましい水性溶媒は脱イオン水である。処理溶液が水性である態様においては、少なくとも１種の式Ｉ〜ＶＩＩＩの界面活性剤は、２３℃の水中に５質量％以下の濃度、且つ参照により全体がここに組み入れられるＬａｎｇｍｕｉｒ  １９８６，  ２，  ４２８−４３２に記載された表面張力を測定する最大気泡圧力法（ｍａｘｉｍｕｍ−ｂｕｂｂｌｅ−ｐｒｅｓｓｕｒｅ  ｍｅｔｈｏｄ）に従って１気泡／秒の条件において、４５ダイン／ｃｍ未満の動的表面張力を示すことが望ましい。
【００４６】
水のような水性溶媒のほかにあるいはその代わりに非水性溶媒を使用する態様では、選定した非水性溶媒はそれに含有される少なくとも１種の界面活性剤、処理溶液中のその他の添加剤、あるいは基材自体と反応しない。好適な溶媒には、炭化水素類（例えばペンタン又はヘキサン）、ハロカーボン類（例えばフレオン１１３）、エーテル類（例えばエチルエーテル（Ｅｔ2Ｏ）、テトラヒドロフラン（ＴＨＦ）、エチレングリコールモノメチルエーテル、又は２−メトキシエチルエーテル（ジグリム））、ニトリル類（例えばＣＨ3ＣＮ）、あるいは芳香族化合物（例えばベンゾトリフルオライド）が含まれるが、好適な溶媒はそれらに限定されない。なお更なる溶媒の例には、ラクテート類、ピルベート類、及びジオール類が含まれる。これらの溶媒には、アセトン、１，４−ジオキサン、１，３−ジオキソラン、酢酸エチル、シクロヘキサノン、アセトン、１−メチル−２−ピロジジアノン（ＮＭＰ）及びメチルエチルケトンが含まれるが、それらに限定されるわけではない。このほかの溶媒には、ジメチルホルムアミド、ジメチルアセトアミド、Ｎ−メチルピロリドン、炭酸エチレン、炭酸プロピレン、グリセロール及び誘導体、ナフタレン及び置換体、無水酢酸、プロピオン酸及び無水プロピオン酸、ジメチルスルホン、ベンゾフェノン、ジフェニルスルホン、フェノール、ｍ−クレゾール、ジメチルスルホキシド、ジフェニルエーテル、テルフェニルなどが含まれる。なお更なる溶媒には、プロピレングリコールプロピルエーテル（ＰＧＰＥ）、メタノール、エタノール、３−ヘプタノール、２−メチル−１−ペンタノール、５−メチル−２−ヘキサノール、３−ヘキサノール、２−ヘプタノール、２−ヘキサノール、２，３−ジメチル−３−ペンタノール、プロピレングリコールメチルエーテルアセテート（ＰＧＭＥＡ）、エチレングリコール、イソプロピルアルコール（ＩＰＡ）、ｎ−ブチルエーテル、プロピレングリコールｎ−ブチルエーテル（ＰＧＢＥ）、１−ブトキシ−２−プロパノール、２−メチル−３−ペンタノール、２−メトキシエチルアセテート、２−ブトキシエタノール、２−エトキシエチルアセトアセテート、１−ペンタノール、及びプロピレングリコールメチルエーテル、が含まれる。上に例示した非水性溶媒は単独で使用してもよく、あるいは２種以上の溶媒の組み合わせでもって使用してもよい。
【００４７】
特定の態様においては、処理溶液は、水性溶媒に混和できるかあるいは水に混和可能である少なくとも１種の非水性溶媒を含有してもよい。これらの態様では、処理溶液中の非水性溶媒の量は約１〜約５０質量％の範囲でよく、処理溶液中の溶媒の残りが水性溶媒を構成する。水混和性非水性溶媒の例には、メタノール、エタノール、イソプロピルアルコール、及びＴＨＦが含まれる。
【００４８】
本発明の溶液は、構造式Ｉ〜ＶＩＩＩで表される少なくとも１種の界面活性剤を１０〜１０，０００ｐｐｍ含む。典型的な界面活性剤は両親媒性の特性を示し、これはそれらが同時に親水性と疎水性の両方であることができることを意味する。両親媒性界面活性剤は、水に対して強い親和性を持つ親水性の１又は２以上の先端基（ｈｅａｄ  ｇｒｏｕｐ）と、有機親和性で水をはじく長い疎水性の尾部（ｔａｉｌ）とを有する。本発明で使用される式Ｉ〜ＶＩＩＩの少なくとも１種の界面活性剤は、イオン性（すなわちアニオン性、カチオン性）でもあるいは非イオン性でもよい。
【００４９】
本発明の特定の態様では、処理溶液は、アセチレン列ジオール誘導体である１種以上の非イオン界面活性剤を含有することができる。本発明の界面活性剤は、下記の式Ｉ又は式ＩＩで表すことができる。
【００５０】
【化７】
2006201809.tif 000008
【００５１】
これらの式中のＲ1とＲ4はそれぞれ独立に、炭素原子数３〜１０の直鎖又は枝分かれしたアルキル鎖であり、Ｒ2とＲ3はそれぞれ独立に、水素原子か又は炭素原子数１〜５のアルキル鎖であり、ｍ、ｎ、ｐ及びｑはそれぞれ独立に、０〜２０の範囲の数である。これらの界面活性剤は、本発明の譲受人である米国ペンシルバニア州Ａｌｌｅｎｔｏｗｎのエア・プロダクツ・アンド・ケミカルズ・インコーポレイテッドから、ＳＵＲＦＹＮＯＬ（商標）及びＤＹＮＯＬ（商標）の商標名で商業的に入手できる。特定の好ましい態様においては、式Ｉ又はＩＩの分子のアセチレン列ジオール部分は２，４，５，９−テトラメチル−５−デシン−４，７−ジオール又は２，５，８，１１−テトラメチル−６−ドデシン−５，８−ジオールである。アセチレン列ジオールから誘導されたこれらの界面活性剤は、例えば、本発明の譲受人に譲渡されておりそれらの全体が参照によりここに組み入れられる米国特許第６３１３１８２号明細書及びヨーロッパ特許出願公開第１１１５０３５号明細書に記載された方法を含めて、多数の方法で調製することができる。
【００５２】
式ＩとＩＩにおいて、（ＯＣ2Ｈ4）により表される酸化アルキレン部分は（ｎ＋ｍ）の重合した酸化エチレン（ＥＯ）分子単位であり、（ＯＣ3Ｈ6）により表される部分は（ｐ＋ｑ）の重合した酸化プロピレン（ＰＯ）分子単位である。（ｎ＋ｍ）の値は０〜３０の範囲でよく、好ましくは１．３〜１５、より好ましくは１．３〜１０の範囲でよい。（ｐ＋ｑ）の値は０〜３０の範囲でよく、好ましくは１〜１０、より好ましくは１〜２の範囲でよい。
【００５３】
本発明の特定の好ましい態様においては、処理溶液は次の式ＩＩＩ〜ＶＩＩＩにより表される少なくとも１種の界面活性剤を１０〜１０，０００ｐｐｍ含有する。
【００５４】
【化８】
2006201809.tif 000009
【００５５】
上記の式のおのおのにおいて、Ｒ1とＲ4はそれぞれ独立に、炭素原子数３〜１０の直鎖又は枝分かれしたアルキル基であり、Ｒ2とＲ3はそれぞれ独立に、水素原子か又は炭素原子数１〜５のアルキル基であり、Ｒ5は炭素原子数１〜１０の直鎖又は枝分かれしたアルキル基であり、Ｒ6は炭素原子数４〜１６の直鎖又は枝分かれしたアルキル基であり、Ｒ7、Ｒ8及びＲ9はそれぞれ独立に、炭素原子数１〜６の直鎖又は枝分かれしたアルキル基であり、Ｒ10は独立にＨ又は下式
【００５６】
【化９】
2006201809.tif 000010
【００５７】
で表される基であり、Ｒ11は炭素原子数４〜２２の直鎖、枝分かれ、又は環式のアルキル基であり、Ｗは水素原子又はアルキニル基であり、ＸとＹは水素原子か又はヒドロキシル基であり、Ｚはハロゲン原子、ヒドロキシル基、酢酸基、又はカルボン酸基であり、ｍ、ｎ、ｐ及びｑはそれぞれ独立に、０〜２０の範囲の数であり、ｒとｓはそれぞれ独立に２又は３であり、ｔは０〜２の範囲の数であり、ｊは１〜５の範囲の数であり、そしてｘは１〜６の範囲の数である。式ＩＩＩの界面活性剤の例には、３，５−ジメチル−１−ヘキシン−３−オールと２，６−ジメチル−４−ヘプタノールが含まれるが、例はそれらに限定されない。式ＶＩａの界面活性剤の例には、Ｎ，Ｎ’−ビス（１，３−ジメチルブチル）エチレンジアミンが含まれるが、例はそれに限定されない。式Ｖの界面活性剤の例には、酒石酸ジイソペンチルが含まれるが、例はそれに限定されない。式ＶＩの界面活性剤の例には、ドデシルトリメチルアンモニウムクロライドが含まれるが、例はそれに限定されない。式ＶＩＩの界面活性剤の例には、２，４，７，９−テトラメチル−４，７−デカンジオールが含まれるが、例はそれに限定されない。式ＶＩＩＩの界面活性剤の例には、ジエチレントリアミンとｎ−ブチルグリシジルエーテルの付加物（アダクト）が含まれるが、例はそれに限定されない。
【００５８】
処理溶液は、随意に分散剤を含有してもよい。処理溶液に加えられる分散剤の量は、約１０〜約１０，０００ｐｐｍの範囲であり、好ましくは約１０〜約５，０００ｐｐｍ、より好ましくは約１０〜約１，０００ｐｐｍの範囲である。ここで使用する分散剤という用語は、ダスト、プロセス残留物、炭化水素類、金属酸化物、顔料又は処理溶液中のその他の汚染物質等の粒子状物質の分散を高める化合物を表す。本発明にとって好適な分散剤は、好ましくは、約１０〜１０，０００の範囲の数平均分子量を有する。
【００５９】
分散剤はイオン性化合物でも非イオン性化合物でもよい。イオン性又は非イオン性化合物は、コポリマー、オリゴマー、又は界面活性剤を、単独で又は組み合わせて更に含んでもよい。ここで使用するコポリマーという用語は、２以上の高分子化合物からなるポリマー化合物、例えばブロックコポリマー、星型コポリマー、グラフトコポリマーなど、に関連するものである。非イオンコポリマー分散剤の例には、トリブロックＥＯ−ＰＯ−ＥＯコポリマーのＰＬＵＲＯＮＩＣ（商標）  Ｌ１２１、Ｌ１２３、Ｌ３１、Ｌ８１、Ｌ１０１及びＰ１２３（ＢＡＳＦ社）のような高分子化合物が含まれる。ここで使用するオリゴマーという用語は、数個のモノマー単位のみからなるポリマー化合物に関連するものである。イオン性オリゴマー分散剤の例には、ＳＭＡ（商標）１４４０及び２６２５オリゴマー（Ｅｌｆ  Ａｌｆｏｃｈｅｍ社）が含まれる。
【００６０】
あるいはまた、分散剤は界面活性剤を含んでもよい。分散剤が界面活性剤を含む場合、界面活性剤はイオン性（すなわちアニオン性、カチオン性）又は非イオン性でよい。界面活性剤の更なる例には、シリコーン界面活性剤、ポリ（酸化アルキレン）界面活性剤、及びフルオロケミカル界面活性剤が含まれる。処理溶液で使用するのに好適な非イオン界面活性剤には、ＴＲＩＴＯＮ（商標）  Ｘ−１１４、Ｘ−１０２、Ｘ−４５、Ｘ−１５などのオクチル及びノニルフェノールエトキシレート類、及びＢＲＩＪ（商標）  ５６（Ｃ16Ｈ33（ＯＣＨ2ＣＨ2）10ＯＨ）（ＩＣＩ社）、ＢＲＩＪ（商標）  ５８（Ｃ16Ｈ33（ＯＣＨ2ＣＨ2）20ＯＨ）（ＩＣＩ社）などのアルコールエトキシレート類が含まれるが、好適な非イオン界面活性剤はそれらに限定されない。界面活性剤のなお更なる例には、アルコール（第一及び第二）エトキシレート類、アミンエトキシレート類、グルコシド類、グルカミド類、ポリエチレングリコール類、ポリ（エチレングリコール−コプロピレングリコール）、あるいは米国ニュージャージー州Ｇｌｅｎ  ＲｏｃｋのＭａｎｕｆａｃｔｕｒｅｒｓ  Ｃｏｎｆｅｃｔｉｏｎｅｒｓ  Ｐｕｂｌｉｓｈｉｎｇ  Ｃｏ．により刊行された参考文献ＭｃＣｕｔｃｈｅｏｎ’ｓ  Ｅｍｕｌｓｉｆｉｅｒｓ  ａｎｄ  Ｄｅｔｅｒｇｅｎｔｓ，  Ｎｏｒｔｈ  Ａｍｅｒｉｃａｎ  Ｅｄｉｔｉｏｎ  ｆｏｒ  ｔｈｅ  Ｙｅａｒ  ２０００に提示されたそのほかの界面活性剤が含まれる。
【００６１】
処理溶液には、用途に応じて、種々の他の添加剤を随意に加えることができる。これらの添加剤には、安定剤、溶解助剤、着色剤、湿潤剤、消泡剤、緩衝剤、及び他の追加の界面活性剤を含めることができるが、添加剤はそれらに限定されない。一般に、特に述べない限りは、これらの添加剤のおのおのの量は、処理溶液の総質量を基にして、約０．０００１〜１質量％、より好ましくは０．０００１〜０．１質量％である。処理溶液に１種以上の追加の界面活性剤を加える態様では、界面活性剤はここに開示されたあるいは参考文献ＭｃＣｕｔｃｈｅｏｎ’ｓ  Ｅｍｕｌｓｉｆｉｅｒｓ  ａｎｄ  Ｄｅｔｅｒｇｅｎｔｓに提示された界面活性剤のうちのいずれでもよい。
【００６２】
特定の態様では、本発明の処理溶液を非水性ホトレジストとして使用してもよい。これに関連して言えば、好ましくは処理溶液は、６０〜９０質量％、より好ましくは７０〜９０質量％の非水性溶媒、５〜４０質量％、より好ましくは１０〜２０質量％のレジストポリマー、０．５〜約２質量％の光活性化合物、１０〜１０，０００ｐｐｍの少なくとも１種の式１〜ＶＩＩＩの界面活性剤、そして１質量％未満のその他の添加剤、例えば重合防止剤、染料、可塑剤、粘度調節剤など、を含む。ホトレジストの粘度は、ポリマー対溶媒比を変更することにより調整することができ、こうしてレジストを様々な膜厚のコーティング用に配合するのを可能にすることができる。ホトレジスト処理溶液中の好適な非水性溶媒の例には、ここに記載されたいずれの溶媒も含まれる。レジストポリマーの非限定の例には、ノボラック樹脂又はポリビニルフェノールコポリマーが含まれる。光活性化合物の非限定の例には、ジアゾナフトキノン又は光酸発生剤（ＰＡＧ）が含まれる。
【００６３】
本発明の処理溶液は、非水性のエッジビード除去剤として使用することもできる。エッジビード除去剤は、パターニングしたホトレジスト層をベークしてその中のポリマーを架橋させる前に適用してもよく、あるいはリソグラフィーの前に適用してもよい。この態様では、処理溶液は好ましくは、９９〜１００質量％の非水性溶媒、１０〜１０，０００ｐｐｍの少なくとも１種の式Ｉ〜ＶＩＩＩの界面活性剤、及び１質量％未満のその他の添加剤を含む。エッジビード除去剤処理溶液中の好適な非水性溶媒の例には、ここに記載されたいずれの溶媒も含まれる。特定の好ましい態様では、溶媒はＰＧＭＥＡ、乳酸エチル、又はアニソールでよい。
【００６４】
本発明の処理溶液は、基材の上面又は底面のための反射防止コーティングとして使用してもよい。この態様では、処理溶液は好ましくは、６０〜９９質量％の非水性溶媒、１〜４０質量％、好ましくは１〜２０質量％のポリマー、１０〜１０，０００ｐｐｍの少なくとも１種の式Ｉ〜ＶＩＩＩの界面活性剤、及び１質量％未満のその他の添加剤、例えば架橋剤、界面活性剤、染料化合物など、を含む。一般に、処理溶液の固形分含有量は、処理溶液の総質量の約０．５〜約４０質量％、好ましくは０．５〜約２０質量％、より好ましくは２〜１０質量％の範囲で変動することができる。ＡＲＣ処理溶液中の好適な非水性溶媒の例には、ここに記載されたいずれの溶媒も含まれる。特定の好ましい態様では、溶媒はＰＧＭＥＡ又は乳酸エチルでよい。ＡＲＣ処理溶液中の好適なポリマーの例には、米国特許第６４１０２０９号明細書に開示されたもののようなアクリレートポリマー又はフェニル含有ポリマー、及び米国特許第６２６８４５７号明細書及び同第６３６５７６５号明細書に開示されたもののようなメチルシロキサン、メチルシルセスキオキサン及びシリケートポリマーなどのようなスピンオンガラス材料が含まれるが、ポリマーはそれらに限定されない。
【００６５】
本発明の処理溶液は、現像工程後に行われる例えばＲＣＡタイプのクリーニングのようなウエハクリーニング法で使用してもよい。この態様では、剥離工程、ＣＭＰ工程、アッシュクリーニング工程及び／又はエッチング工程の完了後に基材を処理溶液で処理することができる。本発明の一つの態様においては、処理溶液は、水性溶媒中又は水中に、アミン及び／又は水酸化アンモニウム、アルキルアンモニウムヒドロキシドなどのような塩基と、Ｈ2Ｏ2などのような酸化剤と、随意のキレート化剤と、１０〜１０，０００ｐｐｍの少なくとも１種の式Ｉ〜ＶＩＩＩの界面活性剤を含む。キレート化剤の一部の非限定の例は、次に掲げる有機酸とその異性体及び塩類、すなわち、（エチレンジニトリロ）四酢酸（ＥＤＴＡ）、ブチレンジアミン四酢酸、クロロヘキサン−１，２−ジアミン四酢酸（ＣｙＤＴＡ）、ジエチレントリアミン五酢酸（ＤＥＴＰＡ）、エチレンジアミン四プロピオン酸、（ヒドロキシエチル）エチレンジアミン三酢酸（ＨＥＤＴＡ）、Ｎ，Ｎ，Ｎ’，Ｎ’−エチレンジアミン四メチレンホスホン酸（ＥＤＴＭＰ）、クエン酸、酒石酸、フタル酸、グルコン酸、糖酸、カテコール、没食子酸、ピロガロール、没食子酸プロピル、及びシステイン、である。別の態様においては、処理溶液は希ＨＦ、１０〜１０，０００ｐｐｍの少なくとも１種の式Ｉ〜ＶＩＩＩの界面活性剤、及び水を含む。更に別の態様では、処理溶液は、硫酸又はＨＣｌなどのような酸と、Ｈ2Ｏ2などのような酸化剤と、随意のキレート化剤と、１０〜１０，０００ｐｐｍの少なくとも１種の式Ｉ〜ＶＩＩＩの界面活性剤と、水性溶媒又は水を含み、この溶液における酸対酸化剤比は１：１である。もう一つの態様では、処理溶液は、電解イオン化水のような水性溶媒と１０〜１０，０００ｐｐｍの少なくとも１種の式Ｉ〜ＶＩＩＩの界面活性剤とを含む。なおもう一つの態様では、処理溶液は、ＵＶ／オゾン、１０〜１０，０００ｐｐｍの少なくとも１種の式Ｉ〜ＶＩＩＩの界面活性剤、及び水を含む。ウエハクリーニング用途の場合は、処理溶液をメガソニック（ｍｅｇａｓｏｎｉｃ）クリーニング用又はスプレー塗布などのような通常のクリーニング用に使用してもよい。
【００６６】
本発明の処理溶液は、少なくとも１種の式Ｉ〜ＶＩＩＩの界面活性剤を、水性及び／又は非水性の溶媒及び任意の追加の添加剤とともに混合して調製することができる。特定の態様においては、混合は、含まれる成分を溶解させるよう約４０〜６０℃の温度範囲で行うことができる。得られた処理溶液を随意にフィルターにかけて、可能性として基材に悪影響を与えかねない未溶解の粒子を除去してもよい。
【００６７】
処理溶液は、好ましくは、現像工程中に又はその後で基材の表面を処理するのに使用される。好適な基材には、ヒ化ガリウム（ＧａＡｓ）、ケイ素、タンタル、銅、セラミック、アルミニウム／銅合金、ポリイミド、そして例えば結晶性シリコン、ポリシリコン、アモルファスシリコン、エピタキシャルシリコン、二酸化ケイ素（ＳｉＯ2）、窒化ケイ素、ドープされた二酸化ケイ素などのようなケイ素含有組成物、などの材料が含まれるが、基材はそれらに限定されない。基材の更なる例には、ケイ素、アルミニウム、又はポリマー樹脂が含まれる。
【００６８】
特定の好ましい態様において、処理溶液は、ホトレジストコーティングを塗布された基材に適用される。次に、このホトレジストをコーティングした基材を放射線に暴露して、ホトレジストコーティングにパターンを描画する。使用することができる放射線源の例には、紫外線（ＵＶ）、電子線、Ｘ線、レーザー、又はイオンビームが含まれる。一部の態様では、含まれている溶媒を除去するため、暴露（露光）工程の前にプリベーク又はソフトベーク工程を行ってもよい。このプリベーク又はソフトベーク工程は、例えば、ホットプレート上にて９０〜１５０℃の範囲の温度で３０〜１２０秒間行うことができる。
【００６９】
ホトレジストコーティングがポジ型であるかネガ型であるかに応じて、放射線は、後に適用されるアルカリ性現像液への、例えばテトラメチルアンモニウムヒドロキシド（ＴＭＡＨ）、水酸化カリウム、水酸化ナトリウム又はその他の塩基を含有している処理溶液への、コーティングの溶解度を増大させるかあるいは低下させる。現像溶液の更なる例には、米国特許第６４５５２３４号、同第６２６８１１５号、同第６２３８８４９号、同第６１２７１０１号、及び同第６１２０９７８号各明細書に提示されたものが含まれる。ポジ型ホトレジストコーティングにおいては、放射線からマスクされた領域が現像後に残存する一方で、露光された領域は溶解してなくなる。ネガ型ホトレジストコーティングでは、反対のことが起こる。本発明の処理溶液は、ポジ型あるいはネガ型のホトレジストコーティングを有する基材を処理するのに適している。パターニングしたホトレジスト像は、限定されることなく静置、浸漬、スプレー、又はパドル現像を含めて、様々な手段により現像することができる。例えば、静置法では、露光した基材表面に現像液を適用し、パターンを現像するのに十分な時間の後に基材表面にリンス液を適用する。現像時間と温度は、使用する方法によって変わる。
【００７０】
パターニングしたホトレジスト像を現像後に、基材をベークしてホトレジスト中に含まれるポリマーを硬化させる。ベーク工程は、例えば、７０〜１５０℃の範囲の温度で３０〜１２０秒間行うことができる。
【００７１】
処理溶液は、好ましくは、調製された溶液として基材表面に適用される。とは言え、別の態様では、処理溶液は、基材表面と接触する直前又はその間にリンス液の流れ中で調製することができる。例えば、所定量の１種以上の式Ｉ〜ＶＩＩＩの界面活性剤を、随意に他の添加剤を含む水及び／又は非水性溶媒媒体の連続の流れに注入し、それにより処理溶液を作ることができる。本発明の一部の態様においては、少なくとも１種の式Ｉ〜ＶＩＩＩの界面活性剤のうちの一部分を、処理溶液の適用後の基材に加えてもよい。この場合には、処理溶液は、基材を処理している間に複数の工程で作ることができる。本発明のなお別の態様では、当該少なくとも１種の式Ｉ〜ＶＩＩＩの界面活性剤を、例えばカートリッジ又はフィルターなどのような表面積の大きな装置の材料（これは他の添加剤を含んでもよくあるいは含まなくともよい）上に付着させるか、又は界面活性剤でそれを構成することもできる。その後、水及び／又は非水性溶媒の流れがカートリッジ又はフィルターを通過して、それにより処理溶液が作られる。本発明のなおもう一つの態様では、処理溶液は接触工程の間に調製される。これについては、少なくとも１種の式Ｉ〜ＶＩＩＩの界面活性剤を点滴器又は他の手段により基材の表面に供給する。その後、水及び／又は非水性溶媒媒体を基材の表面に供給し、そして基材の表面上で当該少なくとも１種の式Ｉ〜ＶＩＩＩの界面活性剤と混合させて、それにより処理溶液を作る。
【００７２】
本発明の別の態様では、少なくとも１種の式Ｉ〜ＶＩＩＩの界面活性剤を含む濃厚組成物を作り、それを水及び／又は非水性溶媒で希釈して処理溶液を提供することができる。本発明の濃厚組成物、又は「濃厚物」は、当該濃厚物を所望の濃度とｐＨに希釈するのを可能にする。濃厚物はまた、製品のより長い保存寿命と、より容易な輸送及び保管も可能にする。
【００７３】
処理溶液を基材表面と接触させるのには、種々の手段を用いることができる。接触工程の実際の条件（すなわち、温度、時間など）は、広い範囲にわたって変わることがあり、そして一般には様々な因子、例えば、限定されることなしに、基材表面の残留物の性質と量、及び基材表面の疎水性又は親水性、等の因子に依存する。接触工程は、例えば基材の表面へ処理溶液を適用するための流線（ｓｔｒｅａｍｌｉｎｅ）法のような動的方法でもって、あるいは例えばパドルリンス又は基材を処理液の入った浴内に浸漬するなどのような静的方法でもって、行うことができる。処理溶液はまた、動的方法で、例えば連続法でもって、基材の表面へスプレーしてもよく、あるいは表面へスプレーしそして静的方法でもってそのままそこに残らせてもよい。特定の好ましい態様においては、接触工程は静的方法で行われる。接触工程の時間、又は処理溶液が基材表面と接触する時間は、１秒未満から数百秒までいろいろでよい。好ましくは、この時間は１〜２００秒の範囲、より好ましくは１〜１５０秒、更に好ましくは１〜４０秒の範囲でよい。接触工程についての温度範囲は１０〜１００℃の範囲でよく、より好ましくは１０〜４０℃である。
【００７４】
接触工程が静的であるか動的であるかにかかわりなく、処理溶液又は濃厚物はまだ湿っている基材表面に適用するのが好ましい。例えば、一つの好ましい態様では、処理溶液をホトレジスト層の現像後のリンス液として使用する。これについて言うと、ホトレジストをコーティングした基材を現像液で現像する。現像後、処理溶液を、脱イオン水のリンス液のほかに、あるいはそれの代わりに、リンス液として基材表面に適用する。基材が現像液及び／又は脱イオン水でまだ濡れている間に、プロセス溶液を動的方法又は静的方法でもって、例えばそれを基材の表面へ塗布することにより、適用することができる。供給している間、基材を例えば１００ｒｐｍの速度でゆっくりと回転させて、処理溶液を基材表面上に分配する。動的方法の場合、処理溶液を基材上へ連続的に供給しながら基材をゆっくり回転させる。パドル法のような静的方法の場合、基材を短時間、例えば１５秒間、静止させる。処理溶液でのリンス工程の完了後、リンス処理したウエハを例えば高速回転数でのスピン乾燥により乾燥させる。
【００７５】
本発明の更に別の態様では、パターニングしたホトレジストをコーティングした基材のパターンつぶれの欠陥数を最小限にする、少なくとも１種の式Ｉ〜ＶＩＩＩの界面活性剤を含む処理溶液を選ぶための方法が提供される。これについて言うと、この方法は、少なくとも１種の界面活性剤を１０〜１０，０００ｐｐｍ含有している処理溶液の表面張力を求め接触角を測定することを含む。最初に、試料のホトレジストをコーティングした基材の表面に処理溶液を適用する。この処理溶液の表面張力、好ましくは動的な表面張力を、この明細書で説明している最大気泡圧力法に従って測定することができる。次に、基材表面上の処理溶液の小滴のベースラインと小滴の底部における接線とのなす角度である処理溶液の接触角を測定する。特定の好ましい態様では、高速カメラを使って、１秒当たり２フレームの速度で小滴の広がるのを２分間撮影し、そして接触角を写真画像により測定することができる。
【００７６】
処理溶液について表面張力と接触角が得られたならば、次に表面張力に接触角の測定値のコサインをかけ算して、この明細書において「付着張力値」と呼ぶ所定の値を得る。処理溶液の付着張力値がより小さいことは、パターンつぶれの欠陥がより低減することと相関している。３０以下、好ましくは２５以下、より好ましくは２０以下の付着張力値は、処理溶液が、従来技術の文献に記載される脱イオンしたリンス液又は他の界面活性剤を含有している処理溶液と比べて、パターンつぶれの欠陥を減らすのにより有効であることを示すものである。付着張力値が許容できる（すなわち３０以下である）場合には、処理溶液を生産ロット用に使用することができる。式Ｉ〜ＶＩＩＩの界面活性剤の濃度は、各界面活性剤ごとに異なる濃度で計算された最小の付着張力値により求められる。特定の好ましい態様では、処理溶液は、アスペクト比が３．０以上でピッチが１：１．４以上、あるいは標準化したアスペクト比が少なくとも０．０１５  １／ｎｍのパターニングし現像したホトレジストでコーティングした基材について、脱イオン水のリンス液と比べてパターンつぶれの欠陥の数を２５％以上、好ましくは５０％以上、より好ましくは７５％以上減少させる。
【実施例】
【００７７】
本発明を下記の例を参照してより詳しく説明するが、本発明はそれらに限定されるものでないことを理解すべきである。
【００７８】
例１〜５：  動的表面張力（ＤＳＴ）
２，４，７，９−テトラメチル−５−デシン−４，７−ジオール（例１〜３）又は２，５，８，１１−テトラメチル−６−ドデシン−５，８−ジオール（例４、５）から得られたアセチレン列ジオール界面活性剤を含有している５つの処理溶液を、連続撹拌下で０．１質量％の界面活性剤を脱イオン水に加えて調製した。
【００７９】
各処理溶液ごとの動的表面張力（ＤＳＴ）データを、Ｌａｎｇｍｕｉｒ  １９８６，  ２，  ｐｐ．４２８−４３２に記載された最大気泡圧力法により得た。データは、米国ノースカロライナ州ＣｈａｒｌｏｔｔｅのＫｒｕｓｓ，  Ｉｎｃ．製のＫｒｕｓｓ  ＢＰ２気泡圧力張力計を使って０．１気泡／秒（ｂ／ｓ）から２０ｂ／ｓの範囲の気泡速度において得た。各例ごとのＥＯ及びＰＯの分子単位と動的表面張力のデータを表Ｉに示す。
【００８０】
この動的表面張力データは、ほぼ平衡（０．１ｂ／ｓ）から比較的高い表面構造製作速度（２０ｂ／ｓ）までの条件での界面活性剤の性能についての情報を提供する。半導体又はＩＣ加工処理のような用途の場合、高い気泡速度はより速い基材回転速度、あるいは現像後のリンス処理での動的な供給に対応しよう。高い気泡速度で水の動的表面張力（すなわち２０ｂ／ｓで７０〜７２ｄｙｎ／ｃｍ）未満に低下した動的表面張力は、特に、ホトレジストをコーティングした基材の濡れを良好にし、欠陥数を減少させ、そしてパターンのつぶれを防止することが望ましい。表Ｉに示されたように、全ての処理溶液が高い気泡速度において水の動的表面張力より小さい動的表面張力を示した。これは、本発明の処理溶液は水の表面張力を低下させるのに有効であることを示している。
【００８１】
【表１】
2006201809.tif 000011
【００８２】
例６〜８：  発泡特性
２，４，７，９−テトラメチル−５−デシン−４，７−ジオール（例６、７）又は２，５，８，１１−テトラメチル−６−ドデシン−５，８−ジオール（例８）から得られたアセチレン列ジオール界面活性剤を含有している３つの処理溶液を、０．１質量％の各界面活性剤を連続撹拌下に脱イオン水に加えて調製した。
【００８３】
発泡は、リンス液における界面活性剤の望ましくない副作用である。例６〜８の発泡特性を、ＡＳＴＭ  Ｄ  １１７３−５３のＲｏｓｓ−Ｍｉｌｅｓ試験法を基にした手順を使って試験した。得られた結果を表ＩＩに示す。この試験では、室温で２００ｍｌの量の各処理溶液を高い位置の発泡ピペットから５０ｍｌの同じ溶液を入れた発泡受け器に加えた。Ｒｏｓｓ−Ｍｉｌｅｓ法は、液を同じ液の入った円筒状容器へ注ぎ入れるのをシミュレーションする。得られた結果を表ＩＩに示す。添加完了時に発泡高さを測定し（初期発泡高さ）、そして泡が消失するのに要する時間を記録する（泡がゼロになる時間）。特定の用途においては、発泡は、それが基材の表面を十分に覆うことができないために欠陥をもたらしかねないので、望ましくないことがある。表ＩＩに示されたように、泡がゼロになる時間はおよそ１分以下である。
【００８４】
例６の処理溶液を、Ｒｏｓｓ−Ｍｉｌｅｓ試験法を使って０．１質量％のフルオロ界面活性剤（パーフルオロアルキルエトキシレート）を含有している処理溶液及びイオン性界面活性剤（ラウリル硫酸ナトリウム）を含有している処理溶液とも比較した。この比較の結果を表ＩＩＩに示す。表ＩＩＩに示したように、フルオロ界面活性剤を含有している溶液とイオン性界面活性剤を含有している溶液は、５又は１０分の時間をおいてなおもかなりの発泡を示した。半導体処理加工の用途では、有意の発泡の存在は望ましくなく、プロセス上の欠陥の増加に通じかねない。
【００８５】
【表２】
2006201809.tif 000012
【００８６】
【表３】
2006201809.tif 000013
【００８７】
例９〜１０：  接触角データ
２，４，７，９−テトラメチル−５−デシン−４，７−ジオール（例９ａ、９ｂ）又は２，５，８，１１−テトラメチル−６−ドデシン−５，８−ジオール（例１０ａ、１０ｂ）から得られた界面活性剤を種々の量含有している処理溶液と、比較としての脱イオン水（比較例１）の湿潤特性を、Ｓｅｓｓｉｌｅドロップ法を使用し、米国ノースカロライナ州ＣｈａｒｌｏｔｔｅのＫｒｕｓｓ  ＵＳＡにより供給されるＧ１０／ＤＳＡ１０  Ｋｒｕｓｓ液滴形状分析器（ｄｒｏｐ  ｓｈａｐｅ  ａｎａｌｙｚｅｒ）により測定した。この方法では、ホトレジストをコーティングした基材の表面の局所領域の湿潤特性を、水性現像液の小滴のベースラインと小滴底面における接線とのなす接触角を測定することにより評価する。高速カメラにより１秒当たり２フレームの速度で小滴の広がるのを２分間撮影し、そして接触角を測定した。
【００８８】
２，４，７，９−テトラメチル−５−デシン−４，７−ジオールと２，５，８，１１−テトラメチル−６−ドデシン−５，８−ジオールを基にした界面活性剤の処理溶液は、次のようにして調製した。室温でメスフラスコに、種々の量の界面活性剤と脱イオン水を１００ｍｌのレベルに達するまで入れた。界面活性剤が溶解して処理溶液ができるまで混合物を撹拌した。例９ａ、９ｂ、１０ａ、１０ｂの処理溶液中の界面活性剤の量を表ＩＶに示す。
【００８９】
米国カリフォルニア州Ｓａｎ  ＪｏｓｅのＷａｆｅｒｎｅｔ  Ｉｎｃ．により供給されるシリコンウエハに、住友化学社により供給されるＡＸ  ４３１８ホトレジストコーティングを、スピンコーティング法を使用し３２００ｒｍｐの回転速度で塗布した。ホトレジスト表面上の処理液の接触角を測定した。表ＩＶに、秒で表したいろいろな時間での処理溶液と脱イオン水（比較例１）の液滴の接触角の値を示す。
【００９０】
一般に、約２０°以下の接触角は基材表面の完全な濡れを指示する。表ＩＶに示されたように、本発明の処理溶液で処理したホトレジストをコーティングした基材上のＴＭＡＨ現像液の接触角は、脱イオン水で処理したホトレジストの接触角より小さい。更に、処理溶液中の界面活性剤の量が多くなると界面活性剤の吸着が多くなり、濡れが改善されることになる。
【００９１】
【表４】
2006201809.tif 000014
【００９２】
例１１：  脱イオン水でリンス後及び処理溶液でリンス後の現像後欠陥数の対比
基材上の現像後欠陥数を、基材を脱イオン水のリンス液（比較例２）で処理後と本発明の処理溶液を含有するリンス液（例１１）で処理後に比較した。この処理液は、２，５，８，１１−テトラメチル−６−ドデシン−５，８−ジオールから得られた界面活性剤を５０ｐｐｍ、そしてＥｌｆ  Ａｌｆｏｃｈｅｍ社により供給されるオリゴマー分散剤ＳＭＡ（商標）  １４４０を１７０ｐｐｍ含有していた。基材を次のようにして処理した。ホトレジストをコーティングした基材を３６５ｎｍの光で露光し、およそ１１０℃の温度に約１分間加熱し、その後希釈ＴＭＡＨ溶液で現像してパターニングしたホトレジストを形成した。ＴＭＡＨ溶液は、基材上へ０．２１ＮのＴＭＡＨ溶液を１００秒間動的に供給することにより適用した。
【００９３】
比較例２では、現像液ノズルを閉じる１５秒前に脱イオン水を含むリンス液でリンスを開始し、７分間続けた。カリフォルニア州Ｓａｎ  ＪｏｓｅのＫＬＡ−Ｔｅｎｃｏｒ  Ｉｎｃ．により供給されるＴｅｒｅＳｔａｒ（商標）  ＫＬＡ−Ｔｅｎｃｏｒ欠陥検査器を使って基材を欠陥について検査し、そして欠陥を分類して数を数えた。検査結果を表Ｖに示す。
【００９４】
同じ現像液と処理条件を使用し、比較例２と同じやり方でもって基材を処理した。しかし、１００秒の現像後、アセチレン列ジオール界面活性剤を含む処理溶液（例１１）を使って、パターニングしたホトレジストをコーティングした基材をリンスした。現像液と重なり合う期間は比較例２におけるのと同じであった。処理溶液で１２０秒のリンス後、更に７分間脱イオン水のリンス液を使用した。ＴｅｒｅＳｔａｒ（商標）  ＫＬＡ−Ｔｅｎｃｏｒ欠陥検査器を使って基材を欠陥について検査し、欠陥を分類して数を数えた。検査結果を表ＶＩに示す。
【００９５】
表ＶＩに示したように、本発明の処理溶液はパターニングしたホトレジストの表面からホトレジスト残留物を完全に除去することができた。対照的に、表Ｖは、脱イオン水でのリンス後に残留ホトレジスト及びその他の欠陥源に由来する欠陥がたくさんあったことを示している。従って、本発明の処理溶液で基材をリンスすると現像後の欠陥の数が効果的になくなり、プロセス収率が向上した。
【００９６】
【表５】
2006201809.tif 000015
【００９７】
【表６】
2006201809.tif 000016
【００９８】
例１２：  処理溶液とフルオロ界面活性剤含有溶液の平衡表面張力及び動的表面張力の対比比較
平衡表面張力（ＥＳＴ）及び動的表面張力（ＤＳＴ）を比べるために、２，５，８，１１−テトラメチル−６−ドデシン−５，８−ジオールから得られた界面活性剤を０．１質量％含有する処理溶液と、米国ミズーリ州セントルイスの３Ｍ社により供給されるフルオロ界面活性剤のカリウムパーフルオロオクタンカルボキシレートを０．１質量％含有する処理溶液を調製した。両方の溶液についてＥＳＴを、米国ノースカロライナ州ＣｈａｒｌｏｔｔｅのＫｒｕｓｓ，  Ｉｎｃ．製のＫｒｕｓｓ  ＢＰ２気泡圧力張力計によりＷｉｌｈｅｍｙプレート法を使用して測定した。各処理溶液のＤＳＴを、例１〜５で使用した最大気泡圧力法により測定した。ＥＳＴ及びＤＳＴ試験の結果を表ＶＩＩに示す。
【００９９】
表ＶＩＩを参照すると、フルオロ界面活性剤は本発明の処理溶液と比べて低いＥＳＴ値を示す一方で、著しく大きいＤＳＴ値はフルオロ界面活性剤の動的表面張力減少能力が乏しいことを示している。半導体製造で使用される動的リンスプロセスのような高い表面構造製作速度を必要とする用途にとって、本発明の処理溶液はそのＤＳＴ値が小さいことからフルオロ界面活性剤を含有する溶液よりも適している。
【０１００】
【表７】
2006201809.tif 000017
【０１０１】
例１３〜２２：  本発明の処理溶液の付着張力値の測定
式Ｉ〜ＶＩＩＩを有する界面活性剤を含有している１０の処理溶液を、１質量％未満の界面活性剤を連続撹拌下に脱イオン水に加えることにより調製した。各処理溶液中の界面活性剤の濃度は表ＶＩＩＩに示され、界面活性剤ごとに種々の濃度で計算された最小の付着張力値により決定される。例１３は、３，５−ジメチル−１−ヘキシン−３−オール（式ＩＩＩ）を含有していた。例１４は、Ａｌｄｒｉｃｈ社により供給される２，６−ジメチル−４−ヘプタノール（式ＩＶａ）を含有していた。例１５は、Ｎ，Ｎ’−ビス（１，３−ジメチルブチル）エチレンジアミン（式Ｖ）を含有していた。例１６は、酒石酸ジイソペンチル（式ＩＩＩ）を含有していた。例１７は、ドデシルトリメチルアンモニウムクロライド（式ＩＶａ）を含有していた。例１８は、２，４，７，９−テトラメチル−４，７−デカンジオール（式Ｖ）を含有していた。例１９は、２，５，８，１１−テトラメチル−６−ドデシン−５，８−ジオールから得られた界面活性剤（式ＩＩ）を含有していた。例２０、２１、２２はそれぞれ、ジエチレントリアミン（ｘ＝２）とｎ−ブチルグリシジルエーテル（式ＶＩＩＩ）の、それぞれ１：３付加物（濃度０．０５ｗｔ％）、１：５付加物（濃度０．０１２ｗｔ％）、１：５付加物（濃度０．０３ｗｔ％）を含有していた。
【０１０２】
各処理溶液ごとの動的表面張力（ＤＳＴ）データを、Ｌａｎｇｍｕｉｒ  １９８６，  ２，  ｐｐ．４２８−４３２に記載された最大気泡圧力法により得た。これらのデータは、米国ノースカロライナ州ＣｈａｒｌｏｔｔｅのＫｒｕｓｓ，  Ｉｎｃ．製Ｋｒｕｓｓ  ＢＰ２気泡圧力張力計を使って０．１気泡／秒（ｂ／ｓ）から２０ｂ／ｓまでの範囲の気泡速度において得た。各処理溶液について０．１気泡／秒における表面張力値を表ＶＩＩＩに示す。
【０１０３】
カリフォルニア州Ｓａｎ  ＪｏｓｅのＷａｆｅｒｎｅｔ  Ｉｎｃ．により供給されるシリコンウエハに、東京応化工業社により供給されるＴＯＫ  ６０６３  １９３ｎｍホトレジストの厚さ３００ｎｍのコーティングを施した。ホトレジスト表面上の処理溶液の接触角を、ノースカロライナ州ＣｈａｒｌｏｔｔｅのＫｒｕｓｓ  ＵＳＡにより供給されるＧ１０／ＤＳＡ１０  Ｋｒｕｓｓ液滴形状分析器によりＳｅｓｓｉｌｅドロップ法を使用して測定した。表ＶＩＩＩに、液滴形成後１０秒時点で測定した各処理溶液の接触角を示す。
【０１０４】
処理溶液ごとの付着張力値を、表面張力と接触角のコサインとをかけ算して計算した。この計算の結果は表ＶＩＩＩに提示される。表ＶＩＩＩに示したように、全部の処理溶液の付着張力値が２５未満であった。例１４、１５、１７、２０、２１、及び２２のおのおので、付着張力値は２０未満であった。これは、これらの処理溶液がより高い付着張力値を持つ１種以上の界面活性剤を有する処理溶液よりもパターンつぶれの欠陥数をより一層減少させることができることを示している。
【０１０５】
【表８】
2006201809.tif 000018
【０１０６】
パターンつぶれの低減
例１３、１５、１８の処理溶液を、それぞれ、０．９質量％の３，５−ジメチル−１−ヘキシン−３−オール、０．０９５質量％のＮ，Ｎ’−ビス（１，３−ジメチルブチル）エチレンジアミン、０．０５質量％の２，４，７，９−テトラメチル−４，７−デカンジオールを連続撹拌下で脱イオン水に加えて調製した。基材を、次のようにして処理した。Ｗａｆｅｒｎｅｔ  Ｉｎｃ．により供給され、反射防止コーティングを被覆したシリコンウエハにＴＯＫ  ６０６３  １９３ｎｍホトレジストを塗布し、ＡＳＭＬ  ＰＡＳ  ５５００／１１００スキャナを用いて１９３ｎｍの光に露光し、およそ１１５℃の温度に約１分間加熱し、次いで希ＴＭＡＨ溶液で現像してパターニングしたホトレジストを形成した。ＴＭＡＨ現像液は、０．２６ＮのＴＭＡＨ溶液を基材上へ動的供給し４５秒間静置して適用した。次に、処理溶液を基材表面へ動的供給しながら、ウエハ基材を５００ｒｐｍでゆっくり回転させて溶液を基材表面に分配した。この供給処理を１５秒間続けた。その後、基材を３，５００ｒｐｍで回転して乾燥させた。
【０１０７】
比較例では、パターニングしたホトレジストコーティングを現像後の基材表面に脱イオン水のリンス液を上記の例１３、１５、１８の処理溶液と同じ処理条件下で適用した。
【０１０８】
本発明の処理溶液の現像後リンス液及び脱イオン水の現像後リンス液で処理したシリコンウエハを、走査型電子顕微鏡で検査して比較した。図１（ａ）と図１（ｂ）は、それぞれ脱イオン水のリンス液と例１５の処理溶液を利用したリンス液を使用した１：１ピッチ、８０ｎｍの高密度ラインの断面ＳＥＭ像を示している。図１（ｂ）を参照すれば、脱イオン水のほかに又はその代わりに本発明の処理溶液を現像後リンス液として使用すると、パターンのつぶれの発生率が最小限になるか又は減少し、ラインの鮮明度が維持される。
【０１０９】
各ウエハの表面形状のクリティカルディメンション（ＣＤ）を、日立製作所のＣＤ−ＳＥＭ装置を用いウエハ当たり３７の部位で測定し、そしてパターンのつぶれをトップダウンＳＥＭ像により目視観察した。ウエハは、１６．６ｍＪ／ｃｍ2の同じドーズエネルギー条件下で露光した。目視観察の結果を表ＩＸに示す。
【０１１０】
表ＩＸに示したように、本発明の処理溶液はつぶれた部位を少なくとも半分まで減少させる一方で、アスペクト比を３から３．３に上昇させた。従って、基材を脱イオン水でなく本発明の処理溶液でリンスすると、高アスペクト比の表面形状をパターニングする際のパターンのつぶれが効果的に低減される。
【０１１１】
【表９】
2006201809.tif 000019
【０１１２】
本発明を詳細に、且つその具体例を参照して説明したけれども、本発明の精神と範囲から逸脱することなしに本発明に様々な変更や改変を行うことができることは当業者に明らかであろう。
【図面の簡単な説明】
【０１１３】
【図１】ピッチが１：１でアスペクト比が３．７５の高密度な８０ｎｍのラインを有する１９３ｎｍホトレジストを塗布した基材の断面走査型電子顕微鏡（ＳＥＭ）写真を示す図であり、（ａ）は脱イオン水のリンス液で処理したものの写真、（ｂ）は本発明の処理溶液で処理したものの写真である。
【図１】
2006201809.tif 000039